(57)【特許請求の範囲】
【請求項１】
入れ子状のランプであって、ランプ内に設けられた電力供給部から電力を受けるようにライト部を備え、該ライト部はベース部と光源を有し、前記ランプはベースアセンブリ、グローブアセンブリ、ライトアセンブリを有し、
前記ベースアセンブリは、ハウジングと一対の電気接続部を有し、
前記ハウジングは、開口部を定める上方のプラットフォームを有し、
前記一対の電気接続部は、前記電力供給部と電気接続を行うことが可能であり、
前記グローブアセンブリは、折り畳まれたオフ位置から引き出されたオン位置まで、前記ベースアセンブリに対して入れ子状に移動可能であり、
前記ライトアセンブリは、ソケットガイド、ソケットメンバ、作動部、ソケットサポート及びばねを有し、
前記ソケットガイドは、上方プレートと一対の電気接続部を有し、
前記上方プレートは、頂面と底面を有し、中央に開口部を定め、
前記一対の電気接続部は、前記上方のプレートの頂面に取付けられ、
前記ソケットメンバは、ソケットセグメント、延長セグメント及び一対の電気接続部を有し、
前記ソケットセグメントは、前記ライト部のベース部を取付け可能であり、
前記延長セグメントは、前記ソケットセグメントから下方に、前記ソケットガイドの上方のプレートの前記開口部を通って、下方端部まで延び、
前記一対の電気接続部は、前記ライト部と電気接続を行うことが可能であり、
前記作動部は、前記ソケットガイドの上方のプレートの頂面と係合する、下方端部から、前記ベースアセンブリのハウジングの前記上方のプラットフォームの開口部を通って、上方端部まで延び、
前記ソケットサポートは、前記ベースアセンブリのハウジングに対して固定されるように取付けられ、さらに、
頂面を有する下方のプレートと、
前記下方のプレートの頂面から上方に、前記ソケットメンバの延長セグメントの下方端部と係合する上方端部まで延びる延長部とを有し、この際、前記ソケットサポートは前記ソケットメンバを前記ベースアセンブリに対する固定位置に取付け、
前記ばねは、前記ソケットガイドの上方のプレートの底面と係合する上方端部から、前記ソケットサポートの下方のプレートの頂面と係合する下方端部まで延び、
前記ランプの明かりをつけることは、前記グローブアセンブリを前記ベースアセンブリから離すように引上げるように、前記グローブアセンブリをオフ位置からオン位置まで延ばすことで行われるが、この際、前記ライトアセンブリの前記ばねの弾性力が前記ソケットガイドと前記作動部を前記ソケットサポートから離すように強制し、このため、前記ソケットガイドの前記電気接続部が前記ソケットメンバの前記電気接続部と前記ベースアセンブリの前記電気接続部と接触して、前記ベースアセンブリ内に設けられた電力供給部と前記ソケットメンバ内に取付けられた前記ライト部との間に電気接続を形成して、前記ライト部に電力を供給させ、
前記ランプの明かりを消すことは、前記グローブアセンブリを前記ベースアセンブリに向って押し付けるように、前記グローブアセンブリをオン位置からオフ位置まで折り畳むことで行われるが、この際、前記グローブアセンブリは前記作動部の上方端部と係合し、この押し付け力は前記ライトアセンブリの前記ばねの弾性力を超え、前記グローブアセンブリは前記作動部と前記ソケットガイドとを前記ソケットサポートに向うように強制し、前記ソケットガイドの前記電気接続部は前記ソケットメンバの前記電気接続部と前記ベースアセンブリの前記電気接続部との接続を外して、前記ソケットメンバと前記電力供給部との間の電気接続を切断して、前記ソケットメンバ内に取付けられた前記ライト部に電力を供給することを停止させるようにすることを特徴とする入れ子状のランプ。
【請求項２】
前記ソケットガイドの前記電気接続部の各々は、ベースの電気接続部と電気伝導性のばね部を有し、該ばね部は前記上方のプレートの頂面から上方に延びるとともに前記ベースの電気接続部から側方に延びることを特徴とする請求項１に記載の入れ子状のランプ。
【請求項３】
前記ベースアセンブリのハウジングは、実質的に円筒形状のガイドメンバを有し、該メンバは前記上方のプラットフォームの開口部と同軸上であり、前記ベースアセンブリのハウジングの前記上方のプラットフォームから下方端部まで下方に延び、前記ガイドメンバは少なくとも一つの垂直方向に延びるスロットを定めて、前記ソケットガイドは前記上方のプレートから下方に延びるように少なくとも一つのウイングを有し、前記ソケットガイドのウイングの少なくとも一つを前記ガイドメンバのスロットの少なくとも一つ内に取付けて、前記ランプをオンとオフの間で変化させる際、前記ソケットサポートが前記ベースアセンブリのハウジングに対して回転することを防ぐようにしたことを特徴とする請求項１に記載の入れ子状のランプ。
【請求項４】
前記ソケットガイドはさらにスリーブを有し、該スリーブは前記上方のプレートの開口部と同軸上であって、前記上方のプレートから下方に延び、前記ライトアセンブリのばねの上方端部を前記ソケットガイドのスリーブ内に取付けるようにしたことを特徴とする請求項３に記載の入れ子状のランプ。
【請求項５】
前記ベースアセンブリのハウジングは、実質的に円筒形状のガイドメンバを有し、該メンバは前記上方のプラットフォームの開口部と同軸上であって、前記ベースアセンブリのハウジングの上方のプラットフォームから下方端部まで下方に延び、前記ソケットサポートの下方のプレートを前記ベースアセンブリのハウジングのガイドメンバの下方端部に対して固定するように取付けたことを特徴とする請求項１に記載の入れ子状のランプ。
【請求項６】
前記作動部は屈折状のスリーブであって、前記ソケットメンバと前記ライト部を囲むようにし、前記ライト部は前記ソケットメンバのソケットセグメント内に取付けられるようにベース部を有し、前記ソケットガイドの上方プレートはリップを有し、該リップは前記上方のプレートの開口部と同軸上であって、近接し、前記上方のプレートの頂面から上方に延びて、前記ソケットガイドのリップを前記屈折状のスリーブの下方端部内に取付けられるようにしたことを特徴とする請求項１に記載の入れ子状のランプ。
【請求項７】
差込接続によって、前記屈折状のスリーブの下方端部を前記ソケットガイドのリップに対して取外し自在なように取付けたことを特徴とする請求項６に記載の入れ子状のランプ。
【請求項８】
前記ソケットサポートの延長部は、前記ライトアセンブリのばね内で上方に延びるようにスリーブを含み、前記ソケットメンバの延長セグメントは前記ライトアセンブリのばね内で下方に延びるようにシリンダを含むことを特徴とする請求項１に記載の入れ子状のランプ。
【請求項９】
前記ソケットサポートのスリーブは、ボアを定める内面と、該内面からラジアル方向内側に延びるように円周状のシェルフを有し、前記ソケットメンバのシリンダの前記下方端部を前記ソケットサポートのスリーブの上方端部のボア内に取付けて、前記ソケットサポートのスリーブのシェルフと係合させることを特徴とする請求項８に記載の入れ子状のランプ。
【請求項１０】
入れ子状のランプであって、ベースアセンブリ、電力供給部、グローブアセンブリ、ライトアセンブリを有し、
前記ベースアセンブリは、
開口部を定める上方のプラットフォームを有するハウジングと、
一対の電気接続部とを有し、
前記電力供給部は、前記ベースアセンブリ内に配置され、前記ベースアセンブリの電気接続部と電気接続し、
前記グローブアセンブリは、折り畳まれたオフ位置から引き出されたオン位置まで、前記ベースアセンブリに対して入れ子状に移動可能であり、
前記ライトアセンブリは、ソケットガイド、ソケットメンバ、電球、屈折状のスリーブ、ソケットサポート及びばねを有し、
前記ソケットガイドは、
頂面と底面を有し、中央の開口部を定める上方のプレートと、
前記上方のプレートの底面から下方端部まで下方に延びるスリーブと、
前記上方のプレートの頂面に取付けられる一対の電気接続部とを有し、
前記ソケットメンバは、
ソケットセグメントと、
前記ソケットセグメントから下方に、前記ソケットガイドの上方のプレートの開口部を通り、下方端部まで延びる延長セグメントと、
一対の電気接続部とを有し、
前記電球は、
前記ソケットメンバのソケットセグメント内に取付けられ、前記ソケットメンバの電気接続部と電気接続されるベース部と、
前記ソケットメンバの上方に配置される光源とを有し、
前記屈折状のスリーブは、前記ソケットガイドの上方のプレートの頂面と係合する、下方端部から、前記ベースアセンブリのハウジングの前記上方のプラットフォームの開口部を通って、前記上方端部まで延び、前記屈折状のスリーブは、前記ソケットメンバと前記光源とを囲み、かつ、前記ソケットメンバと前記光源に対して垂直方向に移動可能であり、
前記ソケットサポートは、前記ベースアセンブリのハウジングの前記上方のプラットフォームに対して固定されるように取付けられ、さらに、
頂面を有する下方のプレートと、
前記下方のプレートの頂面から、前記ソケットメンバの延長セグメントの下方端部と係合する上方端部まで上方に延びるスリーブとを有し、この際、前記ソケットサポートは前記ソケットメンバを前記ベースアセンブリに対する固定位置に取付け、
前記ばねは、前記ソケットガイドの上方のプレートの底面と係合する、上方端部から、前記ソケットサポートの下方のプレートの頂面と係合する、下方端部まで延び、
前記ランプの明かりを付けることは、前記グローブアセンブリを前記ベースアセンブリから離すように引上げるように、前記グローブアセンブリをオフ位置からオン位置まで延ばすことで行われるが、この際、前記ライトアセンブリの前記ばねの弾性力が前記ソケットガイドと前記屈折状のスリーブを前記ソケットサポートから離すように強制し、このため、前記ソケットガイドの前記電気接続部が前記ソケットメンバの前記電気接続部と前記ベースアセンブリの前記電気接続部と接触して、前記電球と前記電力供給部との間に電気接続を形成し、
前記ランプの明かりを消すことは、前記グローブアセンブリを前記ベースアセンブリに向って押し付けるように、前記グローブアセンブリをオン位置からオフ位置まで折り畳むことで行われるが、この際、前記グローブアセンブリは前記屈折状のスリーブの上方端部と係合し、この押し付け力は前記ライトアセンブリの前記ばねの弾性力を超え、前記グローブアセンブリは前記屈折状のスリーブと前記ソケットガイドとを前記ソケットサポートに向うように強制し、前記ソケットガイドの前記電気接続部は前記ソケットメンバの前記電気接続部と前記ベースアセンブリの前記電気接続部との接続を外して、前記電球と前記電力供給部との間の電気接続を切断させるようにすることを特徴とする入れ子状のランプ。
【請求項１１】
前記ライトアセンブリのばねはヘリカル状の圧縮ばねであって、前記ソケットメンバの延長セグメントと前記ソケットサポートのスリーブとを囲み、前記ライトアセンブリのばねの上方端部は前記ソケットガイドのスリーブ内に配置されることを特徴とする請求項１０に記載の入れ子状のランプ。
【請求項１２】
前記ソケットガイドの前記電気接続部の各々は、ベースの電気接続部と電気伝導性のばね部とを有し、該ばね部は前記上方のプレートの頂面から上方に延びるとともに前記ベースの電気接続部から側方に延びることを特徴とする請求項１０に記載の入れ子状のランプ。
【請求項１３】
前記ベースアセンブリのハウジングは実質的に円筒形状のガイドメンバを有し、該メンバは前記上方のプラットフォームの開口部と同軸上であって、前記ベースアセンブリのハウジングの上方のプラットフォームから下方端部まで下方に延び、前記ソケットサポートの下方のプレートは前記ベースアセンブリのハウジングのガイドメンバの下方端部に対して固定されるように取付けられることを特徴とする請求項１０に記載の入れ子状のランプ。
【請求項１４】
前記ソケットガイドは前記上方のプレートから下方に延びるように少なくとも一つのウイングを有し、前記ソケットガイドのウイングの少なくとも一つを前記ガイドメンバの対応する垂直方向に延びるスロット内に取付けて、前記ランプをオンとオフの間で変化させる際、前記ソケットサポートが前記ベースアセンブリのハウジングに対して回転することを防ぐようにしたことを特徴とする請求項１３に記載の入れ子状のランプ。
【発明の詳細な説明】
【技術分野】
【０００１】
本発明は、一般にランプに関する。より具体的には、本発明は、折り畳み可能で、防水性のランプに関する。
【背景技術】
【０００２】
初期の公知な折り畳み可能なランプは、一般に、ろうそくや芯を用いて、光源として炎を提供していた。光源を囲む透過性のグローブは、入れ子状に、収容位置から操作位置まで移動されていたが、ろうそくや芯は移動されていなかった。より近い、公知の折り畳み可能なランプでは、ろうそく／芯の替わりに電球を用いており、ランプ内に収容されるバッテリーから電球に電力を供給している。特許文献１及び２では、グローブとキャップをベースに対して入れ子状に取付けた折り畳み可能なランプが開示されている。この際、電球はグローブ内に取付けられており、ベース内に取付けられたバッテリーと電気的に接続されている。但し、グローブ／キャップ／電球のアセンブリとベース／バッテリーのアセンブリとの間で相対的な移動を行うために、電気経路を比較的に複雑にし、かつこの製造を高コストにしていた。
【特許文献１】米国特許第５，７６８，９４９号公報
【特許文献２】米国特許第６，０３０，０９４号公報
【発明の開示】
【発明が解決しようとする課題】
【０００３】
本発明は、以上の課題を解決するように、照明用に電気的に作用されるライト部を備えた、入れ子状のランプを提供することを目的とするものである。
【課題を解決するための手段】
【０００４】
上記目的を達成するため、ランプは、ベースアセンブリと、グローブアセンブリと、ライトアセンブリを有する。ベースアセンブリはハウジングを有するが、このハウジングは開口部と一対の電気接続部を備えた、上方のプラットフォームを有する。ベースアセンブリ内に配置される電力供給部は、ベースアセンブリの電気接続部と電気的に接続される。グローブアセンブリは、折り畳まれたオフ位置から引き出されたオン位置まで、ベースアセンブリに対して入れ子状に移動可能である。ライトアセンブリは、ソケットガイドと、ソケットメンバと、作動部と、ソケットサポート及びばね（弾力部材）を有する。ソケットガイドは上方のプレートを有し、このプレートは、頂面と底面と、中央の開口部と、上方のプレートの頂面に取付けられるように一対の電気接続部を有する。ソケットメンバはライト部のベース部を取付けられるソケットセグメントと、ソケットセグメントから、ソケットガイドの上方プレートの開口部を通って、下方端部まで下方に延びる延長セグメントと、ライト部と電気的に接続される一対の電気接続部を有する。作動部は、ソケットガイドの上方のプレートの頂面と係合する、下方端部から、ベースアセンブリのハウジングの上方のプラットフォームの開口部を通って、上方端部まで延びる。ソケットサポートはベースアセンブリのハウジングに対して固定されるように取付けられて、下方プレートを有するが、このプレートは、頂面と、下方のプレートの頂面から上方端部まで上方に延びる延長部を有する。ソケットサポートの延長部の上方端部は、ソケットメンバの延長セグメントの下方端部と係合して、ソケットメンバをベースアセンブリに対して固定位置に取付ける。ばねは、ソケットガイドの上方のプレートの底面と係合された、上方端部から、ソケットサポートの下方のプレートの頂面と係合された、下方端部まで延びる。ランプの明かりをつけることは、グローブアセンブリをベースアセンブリから離すように引き上げて、オフ位置からオン位置までグローブアセンブリを延ばすことで行われるが、ライトアセンブリのばねの弾性力によってソケットガイドと作動部はソケットサポートから離れるように強制される。そして、ソケットガイドの電気接続部が、ソケットメンバの電気接続部とベースアセンブリの電気接続部と接触して、ソケットメンバと電力供給部との間に電気接続を形成して、ソケットメンバ内に取付けられたライト部に電力を送るようにする。また、ランプのあかりを消すことは、グローブアセンブリをベースアセンブリに向って押し込んで、グローブアセンブリをオン位置からオフ位置まで折り畳むようにすることで行われる。グローブアセンブリは、作動部の上方端部と係合するが、この際、押し込む力がライトアセンブリのばねの弾性力を超えて、グローブアセンブリが作動部とソケットガイドをソケットサポートに向わせるように強制させる。そして、ソケットガイドの電気接続部が、ソケットメンバの電気接続部とベースアセンブリの電気接続部との接続を外して、ソケットメンバと電力供給源との間の電気接続を切断させて、ソケットメンバ内に取付けられたライト部に電力を供給することを停止させるようにする。
【０００５】
また、ベースアセンブリのハウジングは実質的に円筒形状のガイドメンバを有するが、上方プラットフォームの開口部と同軸上で、ベースアセンブリのハウジングの上方のプラットフォームから下方端部まで下方に延ばすようにする。ソケットサポートの下方のプレートは、ベースアセンブリのハウジングのガイドメンバの下方端部に対して固定されるように取付けられる。また、ソケットガイドは、上方プレートから下方に延びるように、少なくとも一つのウイングを含む。このソケットガイドのウイングは、ガイドメンバの対応する垂直方向に延びるスロット内に取付けられて、ランプをオンとオフの間で変化させる際、ソケットサポートがベースアセンブリに対して回転することを防ぐようにする。
【０００６】
さらに、ソケットガイドは、上方のプレートの開口部と同軸上で、上方のプレートから下方に延びるように、スリーブを有する。ライトアセンブリのばねの上方端部は、ソケットガイドスリーブ内に取付けられる。
【０００７】
作動部は屈折状のスリーブであり、ソケットメンバと、ソケットメンバのソケットセグメント内に取付けられるライト部を囲む。ソケットガイドの上方のプレートはリップを有するが、上方のプレートの開口部に対して同軸上であって、近接して、上方のプレートの頂面から上方に延びる。ソケットガイドのリップは、屈折状のスリーブの下方端部内に取付けられる。好ましくは、屈折状のスリーブの下方端部は、差込接続によって、ソケットガイドのリップに対して取外し自在なように取付けられる。
【発明を実施するための最良の形態】
【０００８】
以下、本発明に係る好適な実施形態について添付した図を参照して説明するが、これら複数の図では、同様の部品に対しては同様の参照番号が付けられており、本発明の実施形態に係るランプは、参照番号１０を用いて概略的に示されている。このランプ１０は、ベースアセンブリ１２と、このベースアセンブリ１２に対して入れ子状に移動可能なグローブアセンブリ１４と、ライトアセンブリ１６を有している。
【０００９】
図１及び２を参照すると、ベースアセンブリ１２は円筒形状の外側のハウジング１８と、底部側のメンバ２０と、外側のハウジング１８内に配置される内側のハウジング２２を有している。外側のハウジング１８とカップ形状の底部側のメンバ２０は、ベースの外壁を形成する。底部側のメンバ２０のリムにはねじ状の内面があり、外側のハウジング１８の下部に設けたねじ状の外面と螺合することで、外側のハウジング１８に対して底部側のメンバ２０を取付けている。また、底部側のメンバ２０と外側のハウジング１８の間にはＯ−リング２４が配置されて、防水性のシールを構成している。内側のハウジング２２は、上方のプラットフォーム２８から下方に延びるように円筒形状のスカート２６を有している（図３参照）。この内側のハウジングのスカート２６の外径は、外側のハウジング１８の内径よりも小さく、このため外側のハウジング１８と内側のハウジングのスカート２６との間に環状のスペース３０を形成している。また、円錐形状の内側のセグメントを有する反射用プレート３２を、内側のハウジングの上方のプラットフォーム２８の上面に対して取付けるようにしてもよい。ライトアセンブリ１６は、内側のハウジングの上方のプラットフォーム２８の下面３４に対して取付けられ、ライトアセンブリ１６の屈折状のスリーブ３６と電球３８は、内側のハウジングの上方のプラットフォーム２８と反射用プレート３２の軸方向の開口部４０、４２を通るように上方に延ばされている。開口部４０と同軸上にあり、下面３４から下方に延びる、実質的に円筒形状のガイドメンバ４３（図５参照）によって、以下に詳述するように、ライトアセンブリ１６のソケットガイド８４の移動を案内している。
【００１０】
電球３８用の電力は、バッテリー（図示せず）によって供給されるが、好ましくはライトアセンブリ１６と内側のハウジングのスカート２６の間に軸方向に延びるように、通常のＤセルバッテリーによって供給される。そして、内側のハウジングの上方のプラットフォーム２８の下面３４と底部側のメンバ２０の上面４８に取付けられるバッテリーの電気接続部４４、４６によって、バッテリーを定位置に固定し、かつ、バッテリーを電気接続させて、単式の電力供給部（パワーサプライ）を形成させる。この電力供給部は、バッテリーの電気接続部４４、４６によって、内側のハウジングの上方のプラットフォーム２８の下面３４に取付けられた、電力供給用の電気接続部５０、５０’に対して電気的に接続される。この電力供給用の電気接続部５０、５０’はライトアセンブリ１６と接触されて、以下に詳述するように、電球３８に対して電力を供給する。底部側のメンバ２０は、バッテリーの交換を行えるように、取外し自在なように構成されていてもよい。
【００１１】
グローブアセンブリ１４は、グローブ５４と、装飾用のシェード５６と、トップカバー５８と、ハンドル６０を有している。グローブ５４は、キャップ６２と円筒形状の側壁６４を有するが、この壁部は上方、中央及び下方の部位を有する。トップカバー５８は、グローブキャップ６２に対して取付けられる。側壁６４の中央及び下方の部位６６、６８は、内側と外側のハウジング２２、１８の間の環状のスペース３０内で、軸方向に移動可能である。グローブアセンブリ１４は、グローブの側壁６４の下方部６８のみがベースの環状のスペース３０内に残されるように、オン位置（図２参照）まで引き出す／入れ子状に移動することができる。又は、グローブアセンブリ１４は、グローブの側壁６４の中央と下方の部位６６、６８がベースの環状のスペース３０内に置かれるように、オフ位置（図１参照）まで挿入することができる。そして、グローブの側壁６４とベースの外側のハウジング１８の間に配置されたＯ−リング７０によって、グローブアセンブリ１４がいずれの位置にあっても、ベースアセンブリ１２とグローブアセンブリ１４の間に防水用のシールを提供させる。
【００１２】
グローブアセンブリ１４は、トップカバー５８に設けた開口部７２によって通気（ベント）されており、グローブアセンブリ１４がオン位置まで引き出されるときにグローブ５４に空気が流入するようにし、また、グローブアセンブリ１４がオフ位置まで挿入されるときにグローブ５４から空気が流出されるようにしている。尚、グローブとベースアセンブリ１４、１２の間に設けた防水性のシールによって、上述のような通気がない場合には、ベースアセンブリ１２に対してグローブアセンブリ１４を移動させることは極めて困難になることを理解されたい。また、グローブアセンブリ１４が完全に引き出され、又は挿入された後、プラグ７４を開口部／通気部７２内に装着して、通気部７２をシールさせて、ランプ１０を完全に防水させる。また、ベースの外側のハウジング１８の上方部の外面上に接続リング７６を螺合させるように取付けて、グローブの側壁６４の中央及び下方の部位６６、６８の間に配置されたリム７８を係合させて、グローブアセンブリ１４がオン位置まで引き出されたとき、グローブの側壁６４の下方部６８がベースの環状のスペース３０から引き出されることを防ぐようにする。
【００１３】
ライトアセンブリ１６は、屈折状のスリーブ３６と、ソケットメンバ８０と、ソケットサポート８２と、ソケットガイド８４を有している。図８及び９を参照すると、ソケットガイド８４は、実質的に円形状の上方のプレート８６を有し、このプレートはプレートのリム９０と中央の開口部９２から延びるように、反対方向に配置されたタブ８８を有している。タブ８８の各々は、軸方向にこれらを貫通するように開口部９４を有している。開口部９２と同軸上で、かつ近接して設けられるリップ９６は、上方のプレート８６とスリーブ１００の頂面９８から上方に延び、開口部９２と同軸上であって、上方プレート８６の底面１０２から下方に延びている。スリーブ１００は、上方プレート８６のリム９０の近くでラジアル方向に配置され、上方プレートの底面１０２の部位は、開口部９２とばね係合用の表面１０４を定めるスリーブ１００の間で延びている。この際、軸方向に延びるウイング１０６によって、プレートのタブ８８はスリーブ１００に対して接続されている。各ウイング１０６は、内側のハウジングのガイドメンバ４３の対応するスロット内に取付けられて、ランプをオンとオフの間で変化させる際、ソケットサポート８２が内側のハウジング２２に対して回転することを防ぐようにする。また電線１０８によって、電気伝導性のばね部１１０、１１０’を上方のプレート８６の頂面９８上に設けた電気接続部１１２に対して接続させる。好ましくは、電気接続部１１２は、タブの開口部９４を通るように延びるリベットによって、ソケットガイド８４に対して取付けられる。ばね部１１０、１１０’は、頂面９８から軸方向で上方に延び、かつリップ９６内の開口部を通ってラジアル方向内側に、開口部９２内まで延びて、弾力的で、フレキシブルな、電気伝導性の構造を提供する。
【００１４】
図６及び７を参照すると、ソケットサポート８２は、中央に開口部１１６を有するように、実質的に円形状の下方のプレート１１４を有する。開口部１１６と同軸上でかつ隣接した内側のスリーブ１１８は、下方のプレート１１４の頂面１２０から上方端部１２２に向かって上方に延びている。また、内側のスリーブ１１８と下方のプレート１１４のリム１２６と同軸上で、かつこれらの間でラジアル方向に、外側のスリーブ１２４を設けて、下方プレート１１４の頂面１２０から上方に、下方プレート１１４の頂面１２０と内側のスリーブ１１８の上方端部１２２の間に配置された上方端部１２８に向かって延ばしている。また、円周状のシェルフ１３４を、内側のスリーブ１１８の内面１３６から、ラジアル方向内側に延ばしている。このシェルフ１３４は、内側と外側のスリーブ１１８と１２４の上方端部１２２、１２８の間に軸方向に配置されている。シェルフ１３４は、開口部１１６と同軸上にオリフィスを有していてもよい。そして、ねじ１３０のスレッド状の軸を、下方のプレート１１４内の開口部１３２を通るように延ばして、内側のハウジングのガイドメンバ４３の下方端部１３５内のボア１３３と係合させて、ソケットサポートを内側のハウジング２２に対して固定させて、下方のプレートの頂面１２０を内側のハウジングのガイドメンバ４３の底面１３７に対して当接させる。
【００１５】
図１０及び１１を参照すると、ソケットメンバ８０は、上方の、円筒形状のソケットセグメント１３８と、下方の、同軸上で、円筒形状の延長セグメント１４０を有している。ソケットセグメント１３８の外径は、延長セグメント１４０の外径よりも大きく、このため肩部１４２を形成している。ソケットセグメント１３８の外面からは、側方で外側に少なくとも一つのインデックス用のピン１４４を延ばしている。そして、電線１４６によって、肩部１４２上に設けた電気接続部１４８、１４８’をソケットセグメントのキャビティ１５４内に取付けた通常のランプソケット１５２の電気接続部１５０、１５０’に対して接続させている。電気接続部１５０、１５０’は、ランプソケット１５２内に取付けられた、通常の電球３８のベース部と接続して、以下に述べるように、電球のライト部に電力を供給させる。
【００１６】
さらに図３及び４を参照すると、屈折状のスリーブ３６は、反射用プレートの軸方向の開口部４２と内側のハウジングの上方のプラットフォームの軸方向の開口部４０を通って、下方端部１５６まで延びている。上方のプレートのリップ９６は、屈折状のスリーブ３６の下方端部１５６内に受け留められて、取付けられ、屈折状のスリーブ３６の下方端部１５８を上方プレートの頂面９８と係合させる。好ましくは、屈折状のスリーブ３６の下方端部１５６は、電球３８の交換を容易にするため、差込接続によって、上方プレートのリップ９６に対して着脱自在なように取付けられる。ソケットサポート８２の上方端部１６０は、内側のハウジングの上方プラットフォーム２８に取付けられており、ソケットサポートの内側のスリーブ１１８とソケットガイドの開口部９２が同軸上になり、ソケットサポートの内側のスリーブ１１８の部位がソケットガイドスリーブ１００内に配置されるようにしている。ソケットガイドのスケルトン構造１０６とソケットサポートのスケルトン構造１３２は整合されており、ソケットガイド８４がソケットサポート８２に対して軸方向に移動できるようにしている。ソケットメンバのソケットセグメント１３８は屈折状のスリーブ３６内に配置され、ソケットメンバの延長セグメント１４０をソケットガイドの開口部９２を通って、ソケットガイドスリーブ１００内まで、軸方向下方に延ばすようにしている。ソケットメンバの延長セグメント１４０の下方端部１６２は、ソケットサポートの内側のスリーブ１１８内に受け留められて、取付けられ、延長セグメントの下方端部１６４を内側のスリーブのシェルフ１３４と係合させて、ソケットサポート８２がソケットメンバ８０をベースアセンブリの内側のハウジング２２に対して固定位置に取付けるようにしている。ヘリカル状の圧縮ばね１６８の上方端部１６６は、ソケットガイドスリーブ１００内に配置され、ばねの上方端部１７０をソケットガイドのばねの係合面１０４と係合させ、ソケットサポートの外側のスリーブ１２４をばねの下方端部１７２内に取付けられるようにして、ばねの下方端部１７４をソケットサポートの下方のプレート１１４の頂面１２０と係合させている。圧縮ばね１６８は、ソケットガイド８４とこの上に取付けられた屈折状のスリーブ３６を付勢させて、ソケットサポート８２とこの上に取付けられたソケットメンバ８０から離れるようにしている。
【００１７】
ランプ１０をオフに変えて、機能を停止させるためには、プラグ７４を通気部７２から取外して、ベースの底部側のメンバ２０を表面上に置き、ハンドル６０を手で掴み（又はハンドル６０とベースアセンブリ１２を手で掴み）、グローブの側壁の中央部６６をベースの環状のスペース３０内に押し込んで、グローブアセンブリ１４をオフ位置に押し込むようにする。グローブアセンブリ１４の移動は、屈折状のスリーブの上方端部１７６がグローブキャップ６２と接触するまで、Ｏ−リングシール７０がベースの外側のハウジング１８とグローブの側壁６４と接触することにより及ぼされる、妨害する力によって抵抗を受ける。このとき、グローブアセンブリ１４に及ぼされる、押し込もうとする力は、グローブアセンブリ１４が屈折状のスリーブ３６とソケットガイド８４をソケットサポート８２に向わせるように強制させるにつれて、圧縮ばね１６８の弾性力をさらに超えなくてはならない。グローブアセンブリ１４がさらにオフ位置に向って押し込められて、ソケットガイド８４がソケットサポート８２に向って押し込められると、ソケットガイドのばね部１１０、１１０’は延長状態に向って弾力的に戻り始めて、ソケットメンバの電気接続部１４８、１４８’との接続を外して、電球３８と電力供給部との間の電気接続を切断させる。グローブアセンブリ１４が完全にオフ位置（図１及び３を参照）まで押し込まれたら、プラグ７４を通気部７２内に装着させる。尚、Ｏ−リングの抵抗力は、圧縮ばね１６８の弾性力に逆らって、グローブアセンブリ１４をオフ位置に保つのに十分である。さらに、（プラグ７４を通気部７２内に装着させた）グローブアセンブリ１４のいかなる移動は、なんら顕著な量の移動が生じないように、グローブ５４内にバキュームを生じさせる。
【００１８】
ランプ１０を使用状態にさせるためには、通気部７２からプラグ７４を取外して、ハンドル６０とベースアセンブリ１２を手で掴み、グローブの側壁の中間部６６をベースの環状のスペース３０内から引き上げて、グローブアセンブリ１４をオン位置まで延ばすようにする。始めは、圧縮ばね１６８の弾性力が、ソケットガイド８４と屈折状のスリーブ３６をソケットサポート８２から離すように強制する、Ｏ−リングシール７０によって及ぼされる抵抗力を克服しようとする、引き上げる力を助ける。ソケットガイド８４がソケットメンバのソケットセグメント１３８に近付くにつれ、ソケットガイドのばね部１１０、１１０’がソケットメンバの電気接続部１４８、１４８’と接触しはじめて、電球３８と電力供給部の間に電気接続を形成させる。屈折状のスリーブの上方端部１７６がグローブキャップ６２との接続を外す場所までグローブアセンブリ１４を引き上げると、ソケットガイドのばね部１１０、１１０’がソケットガイドの上方のプレート８６に向って弾力的に撓み、ソケットガイドのばね部１１０、１１０’とソケットメンバの電気接続部１４８、１４８’との間に良好な電気接続が保たれることを保証する。屈折状のスリーブの上方端部１７６がグローブキャップ６２との接続を外すと、Ｏ−リングの抵抗力を克服するために、圧縮ばね１６８の弾性力によって押し上げる力が補助されなくなる。グローブアセンブリ１４がオン位置（図２及び４参照）まで完全に延ばされると、プラグ７４を通気部７２内に装着する。尚、Ｏ−リングの抵抗力は、グローブアセンブリ１４をオン位置に保つのに十分である。さらに、（プラグ７４を通気部７２内に装着させた）グローブアセンブリ１４のいかなる移動は、なんら顕著な量の移動が生じないように、グローブ５４内に圧力を生じさせる。
【００１９】
尚、ランプ１０が使用されるときや機能を解除されるとき、電球３８はベースアセンブリ１２に対して固定位置に保たれ、屈折状のスリーブ３６とソケットガイド８４は夫々、ベースアセンブリ１２に対して、軸方向に上方又は下方に移動する。このような構造は、電球３８と電力源との間に電気接続を形成したり、断絶させるために、比較的に簡単なスイッチ装置を利用可能にする。特に、ソケットメンバの電気接続部１４８、１４８’とソケットガイドのばね部１１０、１１０’の間の簡単な機械的な接続は、電球３８と電力供給部との間に電気接続を形成させるのに十分であり、かつ、ソケットメンバの電気接続部１４８、１４８’とソケットガイドのばね部１１０、１１０’の間で機械的な接続を外すことは、電球３８と電力供給部との間で電気接続を切断するのに十分である。
【００２０】
以上、添付した図を参照して、本発明の好適な実施形態について説明したが、本発明の技術思想と範囲から外れることなく、本発明に対して様々な修正や変更等を加えることは可能である。従って、以上の説明は、本発明の実施形態について例示的に示したものであり、限定するものではないことを理解解されたい。
【図面の簡単な説明】
【００２１】
【図１】本発明の実施形態に係るランプの断面図であって、特にオフ位置のランプを示す図である。
【図２】図１に示したランプの断面図であって、特にオン位置のランプを示す図である。
【図３】図１に示したランプの内側のハウジングとライトアセンブリを示す拡大された断面図である。
【図４】図２に示したランプの内側のハウジングとライトアセンブリを示す拡大された断面図である。
【図５】図１に示した内側のハウジングを示す拡大された断面図である。
【図６】図１に示したライトアセンブリのソケットサポートを示す拡大された底面図である。
【図７】図６に示したライトアセンブリのソケットサポートの断面図である。
【図８】図１に示したライトアセンブリのソケットガイドを示す拡大された平面図である。
【図９】図８に示したライトアセンブリのソケットガイドの断面図である。
【図１０】図１に示したライトアセンブリのソケットメンバの拡大された平面図である。
【図１１】図１０に示したソケットメンバの断面図である。
【符号の説明】
【００２２】
１０                ランプ
１２                ベースアセンブリ
１４                グローブアセンブリ
１６                ライトアセンブリ
１８                外側のハウジング
２０                底部側のメンバ
２２                内側のハウジング
２８                上方のプラットフォーム
２６                円筒形状のスカート
３０                環状のスペース
３６                作動部（屈折状のスリーブ）
３８                電球
４３                ガイドメンバ
４４、４６          バッテリーの電気接続部
５０、５０'        電力供給用の電気接続部
５４                グローブ
５６                装飾用のシェード
５８                トップカバー
６０                ハンドル
６４                側壁
７４                プラグ
８０                ソケットメンバ
８２                ソケットサポート
８４                ソケットガイド
【図１】
0004660797.tif 000002
【図２】
0004660797.tif 000003
【図３】
0004660797.tif 000004
【図４】
0004660797.tif 000005
【図５】
0004660797.tif 000006
【図６】
0004660797.tif 000007
【図７】
0004660797.tif 000008
【図８】
0004660797.tif 000009
【図９】
0004660797.tif 000010
【図１０】
0004660797.tif 000011
【図１１】
0004660797.tif 000012